(57)【特許請求の範囲】
【請求項１】
本体ハウジングに、ガイド部材をスライド可能に設けると共に、前記ガイド部材を固定するネジ部材を螺合し、前記ネジ部材に、そのネジ部材を回動操作するための操作レバーを装着した切断工具であって、
前記操作レバーを前記ネジ部材に対して回動自在に装着する一方、前記操作レバーに、前記ネジ部材との連結位置と、前記ネジ部材との非連結位置との間をスライド可能で、常態では前記非連結位置に付勢して設けられるスライドボタンを設けて、前記スライドボタンの前記連結位置へのスライド操作により、前記操作レバーと前記ネジ部材との一体回転状態を選択可能としたことを特徴とする切断工具。
【発明の詳細な説明】
【０００１】
【発明の属する技術分野】
本発明は、本体ハウジングに切断時のガイド部材をスライド可能に備えたレシプロソー等の切断工具に関する。
【０００２】
【従来の技術】
上記切断工具、例えばレシプロソーにおいては、本体ハウジングの前方に、被切断材等に当接させるガイドシュー等のガイド部材が備えられる。このガイド部材は、本体ハウジングから突出するブレードと平行且つスライド自在に設けられるスライドシャフトに連結されるが、スライドシャフトは、本体ハウジングに螺合される六角ボルト等のネジ部材によって固定されており、六角ボルトを緩めた状態でスライドシャフトをスライドさせ、再び六角ボルトを締め付けることで、ガイド部材を任意のスライド位置で固定可能としている。
又、この場合、ガイド部材の位置調整に伴う六角ボルトの回動操作に六角レンチ等の工具が必要となり、面倒であることから、本件出願人は、実開平６−３１９１６号公報において、六角ボルトにこれを回動操作可能な操作レバーを装着し、操作レバーの回動操作によって六角ボルトの緊締及び解除を可能として、工具を使わずにガイド部材の位置調整を可能とする考案を提供している。
【０００３】
【発明が解決しようとする課題】
しかし、操作レバーが本体ハウジングから突出する角度にあると本体ハウジングが把持しにくく、レシプロソーの取扱の邪魔になることから、組み付け時には、六角ボルトによりスライドシャフトを緊締した時点で、操作レバーが本体ハウジングに沿って設けられた収納部等に丁度納まるように調整する必要がある。しかし、六角ボルトの締付量と操作レバーの角度とを一致させて組み付けるのは面倒で、又、組み付け時は適正な位置でも、緊締と解除とを何度も繰り返すうちに操作レバーの角度がずれてくる場合もある。
【０００４】
そこで、請求項１に記載の発明は、操作レバーを利用してガイド部材の位置調整を可能とするのは勿論、緊締時の操作レバーを取り扱いに邪魔にならない角度に簡単に設定可能な切断工具を提供することを目的としたものである。
【０００５】
【課題を解決するための手段】
上記目的を達成するために、請求項１に記載の発明は、操作レバーを前記ネジ部材に対して回動自在に装着する一方、前記操作レバーに、前記ネジ部材との連結位置と、前記ネジ部材との非連結位置との間をスライド可能で、常態では前記非連結位置に付勢して設けられるスライドボタンを設けて、前記スライドボタンの前記連結位置へのスライド操作により、前記操作レバーと前記ネジ部材との一体回転状態を選択可能としたことを特徴とするものである。
【０００６】
【発明の実施の形態】
以下、本発明の実施の形態を図面に基づいて説明する。
図１は、レシプロソーの先端部分の断面説明図で、レシプロソー１は、本体ハウジング２内に、内蔵したモータの駆動により往復動するスライダを有し、そのスライダの先端にブレード３（図４に示す）を連結してなるもので、本体ハウジング２の先端には、ブレード３と平行且つスライド可能に収納されるスライドシャフト５と、そのスライドシャフト５の先端に連結され、ブレード３を直交状に貫通させるシュープレート６とからなるガイドシュー４が装着されている。又、スライドシャフト５は、側面に面取部７を形成している。一方、本体ハウジング２には、ブレード３方向にレバー収納部８が凹設されると共に、そのレバー収納部８の前方に螺合された六角ボルト９の先端がスライドシャフト５の面取部７に当接しており、六角ボルト９のねじ込み量の調整により、スライドシャフト５の押圧固定とその解除とが可能となっている。
【０００７】
レバー収納部８において、六角ボルト９には操作レバー１１が装着されている。操作レバー１１は、六角ボルト９に遊貫される円形の軸支部１３と底面部１４とからなるレバープレート１２と、レバープレート１２の底面部１４にネジ１８によって一体化され、軸支部１３上に重合される円筒部１７を備えたレバー本体１６と、レバー本体１６の円筒部１７に上下にスライド自在に収納されるスライドボタンとしてのカムボタン２０とから構成される。又、レバープレート１２の軸支部１３には、図２にも示す如く、外周に４つの係止爪１５，１５・・が立設される一方、上方のカムボタン２０においては、合成樹脂製のキャップ２１を披着した円筒の下端に、軸支部１３の係止爪１５，１５・・と噛合可能なカム爪２２，２２・・を等間隔で延設している。更に、カムボタン２０は、六角ボルト９の頭部１０が挿入可能な内径を有すると共に、図１での上側の内周のみに、六角ボルト９の頭部１０が任意に嵌合可能な１２角の嵌合部２３を形成しており、頭部１０とキャップ２１との間のコイルスプリング２４により、常態では、キャップ２１が円筒部１７の上端周縁に形成されたストッパ１９に当接する非連結位置まで突出している。この非連結位置では、嵌合部２３は六角ボルト９の頭部１０から離反しているが、カム爪２２，２２・・は軸支部１３の係止爪１５，１５・・と先端部分で噛合し、カムボタン２０の回転を規制している。尚、２５はワッシャーである。
一方、レバー本体１６内には、コイルスプリング２７によってレバープレート１２の底面部１４から下方へ突出付勢されるボール２６が収容されており、レバー収納部８の底面には、操作レバー１１がスライドシャフト５と平行となる位置でボール２６が嵌合する凹部２８が形成されている。
【０００８】
以上の如く構成されたレシプロソー１は、カムボタン２０を押し込んだ連結位置では、図３の如く、カム爪２２，２２・・が軸支部１３の係止爪１５，１５・・に完全に噛合すると共に、嵌合部２３が六角ボルト９の頭部１０に嵌合するため、そのまま操作レバー１１を図４の二点鎖線に示すように外側に回転させると、カムボタン２０を介して六角ボルト９が回転し、スライドシャフト５の押圧固定を解除できる。そして、シュープレート６が任意の位置にくるようにスライドシャフト５をスライドさせた後、カムボタン２０を押し込んだ状態で操作レバー１１を本体ハウジング２側へ回転させると、カムボタン２０を介して六角ボルト９も回転してスライドシャフト５側へねじ込まれ、スライドシャフト５を押圧固定することができる。そして、カムボタン２０の押圧を解除すると、コイルスプリング２４の付勢でカムボタン２０は図１の非連結位置へ復帰して、嵌合部２３を六角ボルト９の頭部１０から離反させるため、操作レバー１１は六角ボルト９で軸支される回転フリー状態となる。よって、六角ボルト９のねじ込み量が不足している場合には、操作レバー１１をフリー状態のまま外側へ回転させ、当該位置でカムボタン２０を押込めば、六角ボルト９の増し締めが可能となる。又、ねじ込み終了時の操作レバー１１の角度が本体ハウジング２から突出している場合も、カムボタン２０の押込みを解除すれば、フリーとなった操作レバー１１をレバー収納部８内に収納することができる。尚、このとき、ボール２６が凹部２８に嵌合して収納時の位置決めとなる。
【０００９】
このように上記形態によれば、カムボタン２０の操作によって操作レバー１１による六角ボルト９の緊締とその解除とが簡単且つ確実に可能となるため、工具なしでガイドシュー４の位置調整が行えるのは勿論、ガイドシュー４の位置調整終了時に操作レバー１１が本体ハウジング２から突出する中途半端な角度にあっても、レバー収納部８に簡単に収納でき、操作性に影響を与えることがない。又、組み付け時に操作レバー１１の角度を考慮する必要がなくなるから、適当に組み付けた後でも簡単にレバー収納部８に納めることができ、製造時の手間も解消される。
尚、カムボタン２０と操作レバー１１との連結は上記形態に限定するものでなく、爪同士以外にも、凹凸形状やピンと孔等による連結構造であっても差し支えない。
又、上記形態では、連結手段として六角ボルト９の頭部１０に対して嵌合するカムボタン２０を採用しているが、このような独立した部材によるものに限らず、例えば、ネジ部材に軸着される操作レバーの孔を、ボルト頭部を狭持可能な溝部と、その溝部と連続して形成され、ボルト頭部の狭持を解除してフリーとなる丸孔とからなる鍵穴状として，ボルト頭部に対して操作レバー自体を直交状にずらせることで、ボルトとの連結と解除とを行う構造等も考えられる。
【００１０】
【発明の効果】
請求項１に記載の発明によれば、操作レバーを前記ネジ部材に対して回動自在に装着する一方、前記操作レバーに前記スライドボタンを設けたことで、操作レバーとネジ部材との連結とその解除とが任意に選択可能となる。よって、レンチ等の工具なしでガイド部材の位置調整が行えるのは勿論、操作レバーをフリーにして邪魔にならない角度に簡単に変更できるため、ガイド部材の位置調整終了時に操作レバーが本体ハウジングから突出する位置にあっても、操作性に影響を与えることがない。又、組み付け時においても、操作レバーの角度を考慮して行う必要がなく、組み付け後に簡単に修正できるため、製造に係る手間も軽減することができる。
特に、常態では前記非連結位置に付勢して設けられるスライドボタンとしたことで、ネジ部材の緊締と解除操作を簡単且つ確実に行うことができる。
【図面の簡単な説明】
【図１】レシプロソーの一部縦断面図である。
【図２】操作レバーの軸着部分の平面説明図である。
【図３】カムボタンの連結位置での操作レバーの拡大断面図である。
【図４】レシプロソーの先端部分の説明図である。
【符号の説明】
１・・レシプロソー、２・・本体ハウジング、４・・ガイドシュー、５・・スライドシャフト、６・・シュープレート、８・・レバー収納部、９・・六角ボルト、１０・・頭部、１１・・操作レバー、１２・・レバープレート、１５・・係止爪、２０・・カムボタン、２２・・カム爪。
【図１】
0003587987.tif 000002
【図２】
0003587987.tif 000003
【図３】
0003587987.tif 000004
【図４】
0003587987.tif 000005